(57)【要約】【課題】自動包装に適する構成で且つ不正開封が困難な構成の不正開封防止機能付包装容器を提供すること。【解決手段】一枚のブランク板を折りたたむことで形成される包装容器であって、連続する側板を折りたたんで内容物の収納空間を形成する容器側部と、前記容器側部によって囲まれることで形成される開口に差込片を差し込むことによって蓋をする蓋部と、を有し、前記容器側部の内面には、前記開口の近傍において容器内側方向に撓む内側片が固定され、前記蓋部の前記差込片に形成される蓋側係止部と、前記内側片の端部に形成される内側係止部とが係止されることにより、不正開封を防止する機能が付加されることを特徴とする。【選択図】図２
2014177305.tif 000002
【特許請求の範囲】
【請求項１】
一枚のブランク板を折りたたむことで形成される包装容器であって、
連続する側板を折りたたんで内容物の収納空間を形成する容器側部と、
前記容器側部によって囲まれることで形成される開口に差込片を差し込むことによって蓋をする蓋部と、を有し、
前記容器側部の内面には、前記開口の近傍において容器内側方向に撓む内側片が固定され、
前記蓋部の前記差込片に形成される蓋側係止部と、前記内側片の端部に形成される内側係止部とが係止されることにより、不正開封を防止する機能が付加されることを特徴とする包装容器。
【請求項２】
前記内側係止部は、内側片に隣接する内側隣接片に形成された係止用穴の一端部であることを特徴とする請求項１に記載の包装容器。
【請求項３】
前記内側片と前記内側隣接片とは、前記内側片に形成された係止突起と、前記係止用穴の他端部とが係止されることで固定されることを特徴とする請求項２に記載の包装容器。
【請求項４】
一枚のブランク板を折りたたむことで形成される包装容器であって、
連続する側板を折りたたんで内容物の収納空間を形成する容器側部と、
前記容器側部によって囲まれることで形成される開口に蓋をする蓋部と、を有し、
前記蓋部は、
前記蓋部の最表面に位置し裏面に突出する爪状部が形成される表面片と、
前記表面片に糊付けされる糊付部と前記爪状部を貫通させる貫通孔とが形成される中間片と、
前記爪状部を固定する固定片と、が重畳されることで形成されることにより、不正開封を防止する機能が付加されることを特徴とする包装容器。
【請求項５】
前記中間片の前記糊付部は、前記表面片と前記中間片とが離間した場合に表層が剥離しやすいように形成されることを特徴とする請求項４に記載の包装容器。
【発明の詳細な説明】
【技術分野】
【０００１】
本発明は、開け口以外の場所を恣意的に開封できないように構成された不正開封防止機能付きの包装容器に関する。
【背景技術】
【０００２】
ブランク板から構成される包装容器において、通常の開封方法により開封すると、開封したことが外部から容易に認識できるように構成されたものがある。
【０００３】
しかし、薬品等の包装のように、より高い品質管理や安全性が求められる内容物に対しては、更に高い密閉性が求められるようになっている。すなわち、糊を熱により溶かしたりして、通常の開封方法以外の方法によって恣意的に開封する場合に対しても対応する必要が出てきた。
【０００４】
そこで、開け口以外の場所を恣意的に開封できないように構成された不正開封防止機能付包装容器がある（例えば、特許文献１、特許文献２参照）。
【０００５】
特許文献１は、開封を防止する箇所に差込片とスリットを設け、外部から容易に開封できないようにしている。
【０００６】
特許文献２は、糊が付いている部分にカッターが容易に入らないように、糊が付いている部分に隣接する箇所に突起を設けている。
【先行技術文献】
【特許文献】
【０００７】
【特許文献１】特開２００８−０５６２６２
【特許文献２】特開２００９−１４９３５５
【発明の概要】
【発明が解決しようとする課題】
【０００８】
しかしながら、上記従来例においては、次のような問題があった。
【０００９】
特許文献１のように外部から容易に開封できないように、差込片とスリットを設ける構成では、容器の作成時に、手作業にて差込片をスリットに入れる必要がある。このため、自動包装に適さず、同一品質の容器を大量に生産することが困難であるという問題があった。
【００１０】
特許文献２のように、突起を設ける簡易な構成では、カッターが入りにくいという作用はあるものの、カッターが入ってしまうと、容易に糊の部分を切断できてしまい、改ざん防止機能が不十分という問題があった。
【００１１】
本発明の目的は、自動包装に適する構成で且つ不正開封が困難な構成の不正開封防止機能付包装容器を提供することである。
【課題を解決するための手段】
【００１２】
上記目的を達成するための本発明の第１の構成は、一枚のブランク板を折りたたむことで形成される包装容器であって、連続する側板を折りたたんで内容物の収納空間を形成する容器側部と、前記容器側部によって囲まれることで形成される開口に差込片を差し込むことによって蓋をする蓋部と、を有し、前記容器側部の内面には、前記開口の近傍において容器内側方向に撓む内側片が固定され、前記蓋部の前記差込片に形成される蓋側係止部と、前記内側片の端部に形成される内側係止部とが係止されることにより、不正開封を防止する機能が付加されることを特徴とする包装容器である。
【００１３】
第２の構成は、前記内側係止部は、内側片に隣接する内側隣接片に形成された係止用穴の一端部であることを特徴とする第１の構成に記載の包装容器である。
【００１４】
第３の構成は、前記内側片と前記内側隣接片とは、前記内側片に形成された係止突起と、前記係止用穴の他端部とが係止されることで固定されることを特徴とする第２の構成に記載の包装容器である。
【００１５】
第４の構成は、一枚のブランク板を折りたたむことで形成される包装容器であって、連続する側板を折りたたんで内容物の収納空間を形成する容器側部と、前記容器側部によって囲まれることで形成される開口に蓋をする蓋部と、を有し、前記蓋部は、前記蓋部の最表面に位置し裏面に突出する爪状部が形成される表面片と、前記表面片に糊付けされる糊付部と前記爪状部を貫通させる貫通孔とが形成される中間片と、前記爪状部を固定する固定片と、が重畳されることで形成されることにより、不正開封を防止する機能が付加されることを特徴とする包装容器である。
【００１６】
第５の構成は、前記中間片の前記糊付部は、前記表面片と前記中間片とが離間した場合に表層が剥離しやすいように形成されることを特徴とする第４の構成に記載の包装容器である。
【発明の効果】
【００１７】
第１の構成によれば、内側片が内側に撓む構成であるため、ブランク板を折り畳む過程で差込片が入りやすく、自動包装に適する構成である。また、内側係止部と蓋側係止部とが互いに包装容器の内部で自動的に係止されるため、不正開封が困難な構成となる。
【００１８】
第２の構成によれば、係止用穴が開口していることで、内側係止部がより容易に蓋側係止部と係止されやすくなる。
【００１９】
第３の構成によれば、内側片と内側隣接片とを糊付けせずに固定することができる。
【００２０】
第４の構成によれば、蓋部を構成する、表面片、固定片、中間片が、相互に接着される。これにより、接着剤で固定された場合、接着剤が複数の層の片にわたり、接着剤を除去することが困難となる。よって、不正開封が困難な構成となる。また、複数の片を重畳する際、差し込む動作など、人手による動作が必要ない。このため、自動包装に適する構成である。
【００２１】
第５の構成によれば、糊付部の表層が剥離しやすいことで、剥離したことが容易にわかる。これにより、不正開封が困難な構成となる。
【図面の簡単な説明】
【００２２】
【図１】第１実施形態の包装容器の展開図。
【図２】第１実施形態の包装容器の組立時の状態を説明する斜視図。
【図３】第１実施形態の包装容器の完成時の状態を説明する斜視図。
【図４】第１実施形態の変形例の包装容器の展開図。
【図５】第２実施形態の包装容器の展開図。
【図６】第２実施形態の包装容器の組立過程の状態を説明する斜視図。
【図７】第２実施形態の包装容器の組立時の状態を説明する斜視図。
【図８】第２実施形態の包装容器の完成時の状態を説明する斜視図。
【図９】第２実施形態の変形例の包装容器の展開図。
【図１０】第３実施形態の包装容器の展開図。
【図１１】第３実施形態の包装容器の完成時の状態を説明する斜視図。
【図１２】第３実施形態の包装容器の通常使用状態を説明する斜視図。
【図１３】第３実施形態の包装容器の不正開封防止構成を説明する斜視図。
【図１４】第３実施形態の変形例の包装容器の展開図。
【図１５】第３実施形態の変形例の包装容器の完成時の状態を説明する斜視図。
【図１６】第３実施形態の変形例の包装容器の通常使用状態を説明する斜視図。
【図１７】第３実施形態の変形例の包装容器の不正開封防止構成を説明する斜視図。
【発明を実施するための形態】
【００２３】
〔第１実施形態〕
図を用いて第１実施形態の包装容器を説明する。図１は第１実施形態の包装容器の展開図である。（ａ）がブランク板裏面、すなわち容器の内部側から見た面の展開図で、（ｂ）がブランク板表面、すなわち容器の外部側から見た面の展開図である。図２は第１実施形態の包装容器の組立時の状態を説明する斜視図である。
【００２４】
包装容器１は、図１に示す一枚のブランク板を折りたたむことで形成される。包装容器１は、図２に示すように、連続する側板を折りたたんで内容物の収納空間を形成する容器側部１０と、容器側部１０によって囲まれることで形成される開口Ａに差込片２２を差し込むことによって蓋をする蓋部２０と、を有する。
【００２５】
図１の展開図を用いて、包装容器１の各部構成を説明する。容器側部１０は、折り目を介して連続して形成される、左側板１１、正面側板１２、右側板１３、背面側板１４、左内部側板１５を有する。更に、左内部側板１５と中央連結部Ｒを介して連結される内側片１６と、中央連結部Ｒと対向する部分にて内側片１６に対して連結され内側片１６を支持する支持片１７とを有する。
【００２６】
蓋部２０は、背面側板１４に連続的に連結される天板２１、差込片２２を有する。差込片２２は、差込表面２２ａと蓋側係止部２２Ｘが形成される係止面２２ｂとを有し、差込表面２２ａと係止面２２ｂとが折り重ねられる際に、蓋側係止部２２Ｘが突出する。これは、蓋側係止部２２Ｘが折り目に近接して配設されるため、差込表面２２ａと係止面２２ｂとの間の折り目を折る際に、蓋側係止部２２Ｘが形成される切込みにも曲げ力が働くためである。差込表面２２ａと係止面２２ｂとは接着剤Ｇで互いに糊付け固定される。
【００２７】
図１に示すように、背面側板１４の蓋部２０と対向する位置には、底部３０が連結される。底部３０は、底板３１、底部差込片３２を有する。底部差込片３２は、底部差込表面３２ａと、底部係止部３２Ｘが形成される底部係止面３２ｂとを有する。底部３０も、蓋部２０と同様の構成であるため、底部係止部３２Ｘは、底部差込表面３２ａと底部係止面３２ｂとが折り重ねられるときに突出する。
【００２８】
右側板１３及び左内部側板１５の蓋部２０方向には、差込片２２が差し込まれたときに、差込片２２の両側端を保持する蓋側保持片４１が連結される。また、右側板１３及び左内部側板１５の底部３０方向には、底部差込片３２が差し込まれたときに、底部差込片３２の両側端を保持する底側保持片５１が連結される。
【００２９】
正面側板１２には、差込片２２に対して接着され切取線Ｃにて切取可能に構成される蓋側切取部１２ａと、底部差込片３２に対して接着され切取線Ｃにて切取可能に構成される底側切取部１２ｂとが形成される。
【００３０】
内側片１６には、蓋部２０側に内側隣接片１６ａが連結され、底部３０側に内側隣接片１６ｂが連結される。内側隣接片１６ａには内側係止部１６Ｘが形成され、内側隣接片１６ｂには内側係止部１６Ｙが形成される。内側係止部１６Ｘは、内側片１６側に折り畳まれる際に形成されるが、その際、内側片１６において、内側係止部１６Ｘと対応する位置に突出形状Ｄがあることで、確実に内側係止部１６Ｘが突出する。同様に、内側係止部１６Ｙに対応する内側片１６の位置に、突出形状Ｄが形成される。
【００３１】
次に、包装容器１の組立ての際の特徴について、図２及び図３を用いて説明する。図３は第１実施形態の包装容器の完成時の状態を説明する斜視図である。なお、組立作業は自動包装によって行われる。
【００３２】
まず、容器側部１０を形成するため、左側板１１、正面側板１２、右側板１３、背面側板１４、左内部側板１５、内側片１６、支持片１７を順次折りたたんで、接着剤Ｇによって固定する。ここで、内側片１６に隣接する内側隣接片１６ａと内側隣接片１６ｂ（図１参照）を折りたたむ際には、いずれも正面側板１２と内側片１６との間に位置する方向に折り畳む。これにより、図２に示すような容器側部１０が形成される。
【００３３】
内側片１６は、支持片１７（図１参照）が右側板１３の内面に対して接着剤Ｇによって接着固定されることで、容器側部１０の内面に固定される。この際、支持片１７が内側片１６の中央部を固定することとなるため、内側片１６蓋側及び底側の端部は自由端となり、図２（ｂ）の内側片１６に隣接する矢印に示すように、開口Ａの近傍において容器内側方向に撓む構成となる。
【００３４】
また、突出形状Ｄの作用で内側係止部１６Ｘ及び内側係止部１６Ｙは内側方向に突出している。このため、内側片１６の自由端と正面側板１２とが離間した状態である。よって、包装過程で図２（ｂ）に示すように、差込片２２を折り、天板２１を容器側部１０に対して閉じるように折り畳む際、前述の離間した部分に差込片２２が自然と入り込みやすくなる。すると、蓋部２０を形成する過程で、自動包装に適した構成となる。
【００３５】
図３に示すように、蓋部２０を折って、容器側部１０に対して閉じる方向に折ると、蓋側切取部１２ａの内部にある接着剤Ｇと差込片２２とが接着固定される。これにより、蓋部２０は容器側部１０に対して封がされる。同時に、蓋部２０の差込片２２に形成される蓋側係止部２２Ｘと、内側片１６の端部に形成される内側係止部１６Ｘとが、包装容器１の内部で互いに自動的に係止することとなる。これにより、包装容器１が完成する。
【００３６】
次に、包装容器１の使用時の状態と、不正開封を防止する機能とを説明する。
【００３７】
通常の使用時には、図３に示す蓋側切取部１２ａを押し込む。すると、切取線Ｃにおいて正面側板１２から切り取られた蓋側切取部１２ａは、蓋部２０の差込片２２とともに解放される。
【００３８】
一方、通常の使用状態と異なり、蓋側切取部１２ａを切り取らない不正開封を行おうとした場合、接着剤Ｇを溶かして蓋部２０を開けることが考えられる。しかしながら、本実施形態においては、蓋側係止部２２Ｘと内側係止部１６Ｘとが係止されているため、たとえ、正面側板１２の蓋側切取部１２ａと差込片２２との接着剤Ｇを溶かして蓋部２０を解放しようとしても、蓋部２０を開放することができない。
【００３９】
以上のように、本実施形態によれば、内側片１６が内側に撓み正面側板１２と離間する構成であるため、ブランク板を折り畳む過程で差込片２２が入りやすく、自動包装に適する構成である。また、内側係止部１６Ｘと蓋側係止部２２Ｘとが互いに包装容器１の内部で自動的に係止されるため、不正開封が困難な構成となる。このように、本実施形態の包装容器１において、不正開封を防止する機能が付加される。
【００４０】
なお、第１実施形態においては、図１のようなブランク板を示したが、ブランク板の構成は図１に限るものではない。たとえば、図４のようなブランク板であっても、同様の機能を有することとなる。図４は第１実施形態の包装容器２の変形例の展開図である。（ａ）がブランク板裏面、すなわち容器の内部側から見た面の展開図で、（ｂ）がブランク板表面、すなわち容器の外部側から見た面の展開図である。
【００４１】
例えば、図４に示すように、内側片１６を固定するのは上述の支持片１７を設けなくともよい。図４に示す構成では、正面側板１２の表面側に重なる正面板１８を左側板１１に連結して容器側部１０を構成する。正面板１８には切欠１８ａ及び切欠１８ｂが形成され、包装容器２を組み立てた場合、蓋側切取部１２ａ及び底側切取部１２ｂを、容器側部１０の表面から押圧可能な構成である。
【００４２】
〔第２実施形態〕
図を用いて第２実施形態の包装容器を説明する。図５は第２実施形態の包装容器の展開図である。（ａ）がブランク板裏面、すなわち容器の内部側から見た面の展開図で、（ｂ）がブランク板表面、すなわち容器の外部側から見た面の展開図である。図６は第２実施形態の包装容器の組立過程の状態を説明する斜視図である。図７は第２実施形態の包装容器の組立時の状態を説明する斜視図である。図８は第２実施形態の包装容器の完成時の状態を説明する斜視図である。前述の実施形態と同様の構成については、同符号を付して説明を省略する。
【００４３】
図５の展開図を用いて、包装容器５の各部構成を説明する。容器側部１０は、折り目を介して連続して形成される、左側板１１、正面側板１２、右側板１３、背面側板１４、左内部側板１５を有する。更に、左内部側板１５と中央連結部Ｒを介して連結される内側片１６と、中央連結部Ｒと対向する部分にて内側片１６に対して連結され内側片１６を支持する支持片１７とを有する。
【００４４】
蓋部２０は、背面側板１４に連続的に連結される天板２１、差込片２２を有する。
【００４５】
差込片２２は、差込表面２２ａと蓋側係止部２２Ｘが形成される係止面２２ｂと、天板２１に対して固定される固定片２２ｃを有する。そして、固定片２２ｃが天板２１に対して接着剤Ｇで糊付け固定され、差込表面２２ａと係止面２２ｂとが折り重ねられる際に、蓋側係止部２２Ｘが突出する。蓋側係止部２２Ｘの突出についての詳細は後述する。
【００４６】
図５に示すように、背面側板１４の蓋部２０と対向する位置には、底部３０が連結される。底部３０は、底板３１、底部差込片３２を有する。底部差込片３２は、底部差込表面３２ａと、底部係止部３２Ｘが形成される底部係止面３２ｂと、底板３１に対して固定される固定片３２ｃを有する。底部３０も、蓋部２０と同様の構成であるため、底部係止部３２Ｘは、固定片３２ｃが底板３１に対して接着剤Ｇで糊付け固定され、底部差込表面３２ａと底部係止面３２ｂとが折り重ねられるときに突出する。
【００４７】
内側片１６には、蓋部２０側に内側隣接片１６ａが連結され、底部３０側に内側隣接片１６ｂが連結される。第２実施形態では、内側隣接片１６ａには係止用穴１６Ｈ１が形成され、内側隣接片１６ｂには係止用穴１６Ｈ２が形成される。
【００４８】
図５に示すように、係止用穴１６Ｈ１の内側片１６側の端部（一端部）が内側係止部１６Ｘとなり、蓋側係止部２２Ｘと互いに係止する。係止用穴１６Ｈ１の内側片１６と反対側の端部（他端部）が内側片１６に形成された係止突起１６Ａ１に対して係止される。当該端部には、切込Ｓと折目Ｔが形成され、内側隣接片１６ａの係止用穴１６Ｈ１が容易に係止突起１６Ａ１に対して係止されるように形成されている。内側片１６に形成された係止突起１６Ａ２と、内側隣接片１６ｂに形成された係止用穴１６Ｈ２も、係止突起１６Ａ１及び係止用穴１６Ｈ１と同様の構成である。
【００４９】
このように、第２実施形態では、内側隣接片１６ａ及び内側隣接片１６ｂが、内側片１６に対して係止によって固定されるため、接着剤Ｇが必要なくなり、手間も軽減される。また、切込Ｓ及び折目Ｔがあり、これらが係止用穴１６Ｈ１及び係止用穴１６Ｈ２を一時的に拡張することになる。すると、係止作業の際の引っ掛かりを軽減し、係止突起１６Ａ１及び係止突起１６Ａ２を、係止用穴１６Ｈ１及び係止用穴１６Ｈ２に対して容易に係止させることができる。
【００５０】
包装容器５の組立ての際の特徴について、図６乃至図８を用いて説明する。
【００５１】
まず、図６に示すように、左側板１１、正面側板１２、右側板１３、背面側板１４、左内部側板１５、内側片１６、支持片１７を折りたたんで、必要な糊付け固定を行う。
【００５２】
なお、内側片１６に隣接する内側隣接片１６ａと内側隣接片１６ｂを折りたたむ際には、いずれも正面側板１２と内側片１６との間に位置する方向に折り畳み、係止突起１６Ａ１と係止用穴１６Ｈ１、及び係止突起１６Ａ２と係止用穴１６Ｈ２とを係止する。これにより、図６（ｂ）に示すような容器側部１０が形成され、内容物が挿入される開口Ａが形成される。
【００５３】
次に、蓋部２０及び底部３０によって開口Ａを塞ぐ場合の構成を、図７及び図８を用いて説明する。蓋部２０と底部３０とは同一の構成であるため、蓋部２０を例示して説明する。
【００５４】
図７に示すように、蓋部２０の差込片２２を形成するため、係止面２２ｂと固定片２２ｃとの間で折る。ここで、係止面２２ｂの蓋側係止部２２Ｘは、折り目の近傍に形成される。このため、差込表面２２ａと係止面２２ｂとの間の折り目を折る際（図７参照）に、蓋側係止部２２Ｘが形成される切込みにも曲げ力が働き、蓋側係止部２２Ｘが突出する。また、第２実施形態においては、図７（ｃ）及び（ｄ）に示すように、固定片２２ｃで天板２１と固定され、係止面２２ｂと固定片２２ｃとの間が折られるように設定している。このため、ブランク板の厚みの影響により、蓋側係止部２２Ｘをより突出させることができる。
【００５５】
突出した蓋側係止部２２Ｘは、蓋部２０を図７（ｂ）の矢印方向に閉じると、内側片１６に形成された内側係止部１６Ｘに対して係止されることになる（図８参照）。
【００５６】
以上のような構成と組立てにより、第２実施形態によっても、前述と同様、自動包装に適する構成であり、不正開封が困難な構成となる。
【００５７】
なお、第２実施形態においては、図５のようなブランク板を示したが、ブランク板の構成は図５に限るものではない。たとえば、図９のようなブランク板であっても、同様の機能を有することとなる。図９は第２実施形態の包装容器の変形例（包装容器６）の展開図である。（ａ）がブランク板裏面、すなわち容器の内部側から見た面の展開図で、（ｂ）がブランク板表面、すなわち容器の外部側から見た面の展開図である。すなわち、図９に示すように、内側片１６を固定するのは上述の支持片１７を設けなくともよい。
【００５８】
〔第３実施形態〕
図を用いて第３実施形態の包装容器を説明する。図１０は第３実施形態の包装容器の展開図である。（ａ）がブランク板表面、すなわち容器の外部側から見た面の展開図で、（ｂ）がブランク板裏面、すなわち容器の内部側から見た面の展開図である。
【００５９】
包装容器３は、図１０に示す一枚のブランク板を折りたたむことで形成される。包装容器３は、図１０に示すように、連続する側板を折りたたんで内容物の収納空間を形成する容器側部６０と、容器側部６０によって囲まれることで形成される開口Ａ（図１２参照）に蓋をする蓋部７０と、を有する。
【００６０】
図１０の展開図を用いて、包装容器３の各部構成を説明する。容器側部６０は、折り目を介して連続して形成される、右側板６１、正面側板６２、左側板６３、背面側板６４、糊代板６５を有する。正面側板６２には、切取線Ｃにて切取可能に構成される蓋側切取部６２ａと、切取線Ｃにて切取可能に構成される底側切取部６２ｂとが形成される。糊代板６５には、右側板６１に対して固定するための接着剤Ｇが配される。
【００６１】
蓋部７０は、表面片７１と、固定片７２と、中間片７３が重畳して固定されることで形成される。次に蓋部７０の各片の構成を具体的に説明する。
【００６２】
表面片７１は、正面側板６２の蓋部７０側に連結される。表面片７１は、最表面となる天板７１ａとその裏面に位置する天井板７１ｂとを接着剤Ｇによって一体的にした部材である。天板７１ａには裏面側に突出する突出形状Ｄが形成され、これに対応する天井板７１ｂの位置に、爪状部７１Ｘが形成される。
【００６３】
突出形状Ｄがあることで、天板７１ａと天井板７１ｂとが折り畳まれて重ねられたときに、突出形状Ｄが爪状部７１Ｘを押圧し、爪状部７１Ｘが確実に突出する。なお、本実施形態においては２つ形成したが、爪状部７１Ｘの数はこれに限るものではない。
【００６４】
固定片７２は、右側板６１及び左側板６３の蓋部７０側に連結される。固定片７２は、表面片７１の爪状部７１Ｘを接着剤Ｇ１（図１３参照）によって固定するための片であり、爪状部７１Ｘを固定部７２ａ上に固定する。固定部７２ａは固定片７２の中に半切断線Ｃｈを介して形成された部分である。
【００６５】
ここで、半切断線Ｃｈは、片の表面のみが剥がれるように片の厚みの途中まで切込みが入れられた線である。このため、固定部７２ａに対して表面側への力が働くと、固定部７２ａの表面のみが剥離し、固定片７２から離間することとなる。
【００６６】
中間片７３は、背面側板６４の蓋部７０側に連結される。中間片７３は、表面片７１に対して接着剤Ｇによって接着される糊付部７３ａと、表面片７１の爪状部７１Ｘを貫通させる貫通孔Ｈとが隣接して直線状に形成される。なお、本実施形態においては２つ形成したが、糊付部７３ａの数はこれに限るものではない。
【００６７】
糊付部７３ａは、貫通孔Ｈから外側へ半切断線Ｃｈを形成することで形成された領域である。ここで、本実施形態の半切断線Ｃｈは外側に行くほど離間するように２本ずつ形成した。２本の半切断線Ｃｈが互いに外側に行くほど離間している理由は、糊付部７３ａは貫通孔Ｈ側から剥離されるため、途中までは半切断線Ｃｈに沿って容易に表層が剥離しやすく構成するためである。
【００６８】
また、それぞれの半切断線Ｃｈは、貫通孔Ｈからは直接形成されるものの、中間片７３の端部までは到達していない。半切断線Ｃｈが端部まで到達していない理由は、端部まで剥離したことを、容易に認識することができるという作用を持たせるためである。
【００６９】
底部８０は、表面片８１と、固定片８２と、中間片８３が重畳して固定されることで形成される。次に底部８０の各片の構成を説明するが、基本的には蓋部７０と同様の機能であるため、底部８０の機能の説明は省略する。
【００７０】
表面片８１は、正面側板６２の底部８０側に連結される。表面片８１は、底板８１ａと底内面板８１ｂとを接着剤Ｇによって一体的にした部材である。底板８１ａには突出形状Ｄが形成され、底内面板８１ｂに爪状部８１Ｘが形成される。本実施形態においては２つ形成したが、爪状部８１Ｘの数はこれに限るものではない。
【００７１】
固定片８２は、右側板６１及び左側板６３の底部８０側に連結される。爪状部８１Ｘを固定部８２ａ上に固定する。固定部８２ａは固定片８２の中に半切断線Ｃｈを介して形成される。
【００７２】
中間片８３は、背面側板６４の底部８０側に連結される。中間片８３は、糊付部８３ａと、貫通孔Ｈとが隣接して直線状に形成される。なお、本実施形態においては２つ形成したが、糊付部８３ａの数はこれに限るものではない。
【００７３】
包装容器３を組み立てた後の状態を説明する。図１１は第３実施形態の包装容器の完成時の状態を説明する斜視図である。図１１（ａ）に示すように、包装容器３は容器側部６０の上部を蓋部７０によって蓋がされている。図１１（ｂ）に示すように、蓋部７０は、表面片７１、固定片７２、中間片７３を重畳されることで形成される。図では省略してあるが、下面は蓋部７０と同様の構成の底部８０が形成される。
【００７４】
包装容器３の通常使用した場合の蓋部７０の状態を説明する。図１２は第３実施形態の包装容器の通常使用状態を説明する斜視図である。
【００７５】
包装容器３の通常の使用時においては、まず、図１２（ａ）に示すように、蓋側切取部６２ａを押すと、切取線Ｃに沿って蓋側切取部６２ａが正面側板６２から切り取られ、表面片７１が開放可能となる。ここで、表面片７１を開放しても、爪状部７１Ｘが中間片７３の貫通孔Ｈを介して固定片７２に固定されている。このため、力を加えないと、表面片７１は全開せず、図１２（ａ）の状態で留まることとなる。
【００７６】
次に、力を加えて表面片７１を更に開放すると、爪状部７１Ｘが固定されている固定片７２の固定部７２ａが、半切断線Ｃｈに沿って剥離する。すると、図１２（ｂ）に示すように、中間片７３とともに固定部７２ａが固定片７２から除去される。これにより、表面片７１が完全に開放することができるようになり、且つ固定片７２も開放することができるようになる。これによって、内容物を包装容器３の外に取り出すことができる。
【００７７】
包装容器３の不正開封を防止する蓋部７０の構成を説明する。図１３は第３実施形態の包装容器の不正開封防止構成を説明する斜視図である。
【００７８】
図１３（ａ）に示すように、包装容器３の蓋部７０は、表面片７１の裏面側に突出する爪状部７１Ｘが、中間片７３の貫通孔Ｈを通して、固定片７２の固定部７２ａに固定される。ここで、表面片７１、固定片７２、中間片７３は、中間片７３の糊付部７３ａと貫通孔Ｈを含む直線状に渡った接着剤Ｇ１によって相互に接着されることとなる。
【００７９】
すなわち、接着剤Ｇ１は、表面片７１と固定片７２とを爪状部７１Ｘを介して接着する一方、表面片７１と中間片７３とを２つの貫通孔Ｈの間の糊代において接着するように、重畳された複数の片を相互に接着することとなる。
【００８０】
すると、接着剤Ｇ１を不正に削り取ろうとして表面片７１と中間片７３との間にカッターを入れると、内部に配置された爪状部７１Ｘが邪魔するため、カッターで接着剤Ｇ１の接着力を除去して表面片７１と中間片７３を離間させることはできない。
【００８１】
また、図１３（ｂ）に示すように、表面片７１と中間片７３を力を加えて離間させた場合、中間片７３から剥離しやすい糊付部７３ａが半切断線Ｃｈに沿って剥離するため、剥離したことが容易にわかる。また、糊付部７３ａが中間片７３からいったん除去されると、剥離痕が残り、剥離したことがさらに明確となる。
【００８２】
以上のように、本実施形態によれば、蓋部７０を構成する、表面片７１、固定片７２、中間片７３が、中間片７３の糊付部７３ａと貫通孔Ｈを含む直線状に渡った接着剤Ｇ１によって相互に接着される。これにより、接着剤Ｇ１が複数の層の片にわたり、接着剤Ｇ１を除去することが困難となる。よって、不正開封が困難な構成となる。また、複数の片を重畳する際、差し込む動作など、人手による動作が必要ない。このため、自動包装に適する構成である。
【００８３】
次に、第３実施形態の変形例について説明する。図１４は第３実施形態の変形例の包装容器の展開図である。図１５は第３実施形態の変形例の包装容器の完成時の状態を説明する斜視図である。図１６は第３実施形態の変形例の包装容器の通常使用状態を説明する斜視図である。図１７は第３実施形態の変形例の包装容器の不正開封防止構成を説明する斜視図である。
【００８４】
上述のように、第３実施形態においては、爪状部７１Ｘが２つあるものとしたが、爪状部７１Ｘの数は２つに限るものではない。たとえば、図１４のようなブランク板を組み立てて図１５のように、爪状部７１Ｘを１つとした包装容器４とすることもできる。変形例に係る包装容器４においても、基本的な機能は本実施形態と同様である。上述の包装容器３と同機能を有する部材には同符号を付した。
【００８５】
変形例においては、爪状部７１Ｘが中央に一つとしている。これに対応して、中間片７３に形成される貫通孔Ｈも中央に形成される。また、２つの固定片７２のうち少なくとも１つは長く構成される。これは、図１７（ａ）に示すように、表面片７１、固定片７２、中間片７３の３片に渡る接着剤Ｇ１を、固定片７２でも受けるためである。
【００８６】
また、接着剤Ｇや接着剤Ｇ１が塗布される部分（例えば、爪状部７１Ｘ、固定部７２ａ、糊付部８３ａ）には、必要に応じて切れ込みを入れておくと、接着剤が浸透しやすい。
【産業上の利用可能性】
【００８７】
本発明は、開け口以外の場所を恣意的に開封できないように構成された不正開封防止機能付きの包装容器に利用することができる。
【符号の説明】
【００８８】
Ａ…開口、Ｃ…切取線、Ｃｈ…半切断線、Ｄ…突出形状、Ｇ…接着剤、Ｇ１…接着剤、Ｈ…貫通孔、Ｒ…中央連結部、Ｓ…切込、Ｔ…折目、１…包装容器、２…包装容器、３…包装容器、４…包装容器、５…包装容器、６…包装容器、１０…容器側部、１１…左側板、１２…正面側板、１２ａ…蓋側切取部、１２ｂ…底側切取部、１３…右側板、１４…背面側板、１５…左内部側板、１６…内側片、１６Ａ１…係止突起、１６Ａ２…係止突起、１６Ｈ１…係止用穴、１６Ｈ２…係止用穴、１６Ｘ…内側係止部、１６Ｙ…内側係止部、１６ａ…内側隣接片、１６ｂ…内側隣接片、１７…支持片、１８…正面板、１８ａ…切欠、１８ｂ…切欠、２０…蓋部、２１…天板、２２…差込片、２２Ｘ…蓋側係止部、２２ａ…差込表面、２２ｂ…係止面、２２ｃ…固定片、３０…底部、３１…底板、３２…底部差込片、３２Ｘ…底部係止部、３２ａ…底部差込表面、３２ｂ…底部係止面、３２ｃ…固定片、４１…蓋側保持片、５１…底側保持片、６０…容器側部、６１…右側板、６２…正面側板、６２ａ…蓋側切取部、６２ｂ…底側切取部、６３…左側板、６４…背面側板、６５…糊代板、７０…蓋部、７１…表面片、７１Ｘ…爪状部、７１ａ…天板、７１ｂ…天井板、７２…固定片、７２ａ…固定部、７３…中間片、７３ａ…糊付部、８０…底部、８１…表面片、８１Ｘ…爪状部、８１ａ…底板、８１ｂ…底内面板、８２…固定片、８２ａ…固定部、８３…中間片、８３ａ…糊付部
【図１】
2014177305.tif 000003
【図２】
2014177305.tif 000004
【図３】
2014177305.tif 000005
【図４】
2014177305.tif 000006
【図５】
2014177305.tif 000007
【図６】
2014177305.tif 000008
【図７】
2014177305.tif 000009
【図８】
2014177305.tif 000010
【図９】
2014177305.tif 000011
【図１０】
2014177305.tif 000012
【図１１】
2014177305.tif 000013
【図１２】
2014177305.tif 000014
【図１３】
2014177305.tif 000015
【図１４】
2014177305.tif 000016
【図１５】
2014177305.tif 000017
【図１６】
2014177305.tif 000018
【図１７】
2014177305.tif 000019